(57)【特許請求の範囲】
【請求項１】
鉄粉の酸化熱を応用した発熱体を発熱源とし、ウェットティッシュの取り出し部を有するウェットティッシュ用カイロであって、
平板状で、上記取り出し部が、ほぼ中央部に設けられた開口により形成されており、
上面に開口部を有し、複数枚積層されたウェットティッシュを収納する容器本体を具備するウェットティッシュ用容器に収納されたウェットティッシュの上部に載置され、
上記ウェットティッシュ用容器は、上記容器本体の上面側に装着される蓋体と、上記ウェットティッシュ用カイロ上に載置される落とし蓋とを有しており、
上記落とし蓋の上記ウェットティッシュ用カイロと当接する面は剥離自在となるように処理されており、該ウェットティッシュ用カイロの上面には接着剤が塗布されており、該落とし蓋は、該ウェットティッシュ用カイロと剥離自在に接着されているウェットティッシュ用カイロ。
【発明の詳細な説明】
【０００１】
【発明の属する技術分野】
本発明は、手軽にウェットティッシュを適温に加温できるウェットティッシュ用カイロに関する。
【０００２】
【従来の技術及び発明の解決しようとする課題】
従来より、ウェットティッシュを適温に暖めるために、ウェットティッシュ用容器に装着して用いるウェットティッシュ用ヒーター類が種々提案されている。しかし、従来のヒーター類では、1)コードを有していたためこのコードが邪魔になる、2)容器全体を加熱するため、全体的に加熱しすぎてしまいウェットティッシュの含浸液が蒸発する、等の問題があった。
【０００３】
従って、本発明の目的は、コードが邪魔になったり、含浸液が蒸発してしまうことがなく、手軽に、適量のウェットティッシュを適温に加温できるウェットティッシュ用カイロを提供することにある。
【０００４】
【課題を解決するための手段】
本発明は、鉄粉の酸化熱を応用した発熱体を発熱源とし、ウェットティッシュの取り出し部を有するウェットティッシュ用カイロであって、平板状で、上記取り出し部が、ほぼ中央部に設けられた開口により形成されており、上面に開口部を有し、複数枚積層されたウェットティッシュを収納する容器本体を具備するウェットティッシュ用容器に収納されたウェットティッシュの上部に載置され、上記ウェットティッシュ用容器は、上記容器本体の上面側に装着される蓋体と、上記ウェットティッシュ用カイロ上に載置される落とし蓋とを有しており、上記落とし蓋の上記ウェットティッシュ用カイロと当接する面は剥離自在となるように処理されており、該ウェットティッシュ用カイロの上面には接着剤が塗布されており、該落とし蓋は、該ウェットティッシュ用カイロと剥離自在に接着されているウェットティッシュ用カイロを提供することにより上記目的を達成したものである。
【０００５】
【発明の実施の形態】
図１及び２に示す実施形態のウェットティッシュ用カイロ１（以下、「カイロ１」と略す）は、鉄粉の酸化熱を応用した発熱体（図示せず）を発熱源とし、ウェットティッシュの取り出し部１０を有する。
【０００６】
更に詳述すると、本実施形態のカイロ１は、平板状で、取り出し部１０が、そのほぼ中央部に設けられた開口により形成されている。
また、上記発熱体は、鉄粉の酸化熱を応用した公知の使い捨てカイロと同様に構成されており、公知の使い捨てカイロと同様に、その少なくとも一面側が酸素透過性シートにより形成されている（図示せず）。
【０００７】
本実施形態における取り出し部１０は、図１に示すように両端部が半円形状の長方形状であり、その大きさは、ウェットティッシュをスムーズに取り出せる大きさであれば特に制限されない。
厚みは、容器内へ入れて使用することを基本とする点から、１mm〜３０mmが好ましく、特に１mm〜５mmが望ましい。
発熱温度は、シートを加熱するのに必要な熱量の点から、好ましくは４５℃以上、更に好ましくは５０℃以上であり、安全性、シートの不必要な加熱をさける点から、好ましくは６０℃以下、更に好ましくは５５℃未満である。
発熱体の重量は、積層シート最上層とカイロとがより隣接する目的の点から、好ましくは１０ｇ以上、更に好ましくは２０ｇ以上であり、持ち運びの点から、好ましくは５００ｇ以下、更に好ましくは５０ｇ以下である。
【０００８】
カイロ１は、図２に示すように、上面２５に開口部２５ａを有し、複数枚積層されたウェットティッシュ３を収納する容器本体２１を具備するウェットティッシュ用容器２に収納されたウェットティッシュ３の上部に載置される。この際、カイロ１はウェットティッシュに直接又は間接に載置されるが、本形態においては、ウェットティッシュは、上面に開口４１を有する袋体４に収納されており、カイロ１は、ウェットティッシュ３の上部に該袋体４を介して間接に載置されている。また、カイロ１の取り出し部１０の形状は、開口４１の形状とほぼ同じである。
ウェットティッシュ用容器２は、図２に示すように、容器本体２１の上面２５側に装着される蓋体２２を有する。
ウェットティッシュ用容器２は、カイロ１上に載置される落とし蓋２３を有する。落とし蓋２３を設けるのは、カイロ交換の簡便性、シート引き出し性制御、カイロとシートとの密着性の点で有用である。
落とし蓋の重量は、カイロとシートとの密着性の点から、好ましくは１０ｇ以上、更に好ましくは２０ｇ以上であり、持ち運びの点から、好ましくは５００ｇ以下、更に好ましくは５０ｇ以下である。
また、落とし蓋２３のカイロ１と当接する面は剥離自在となるように処理されており、カイロ１の上面には接着剤が塗布されており、落とし蓋２３は、カイロ１と剥離自在に接着されている。
【０００９】
ウェットティッシュ用容器２において、上面２５は、カイロ１を載置できるように、容器の壁部材２４の上端縁２４ａよりも下方に位置している。蓋体２２には、その中央部に、更にウェットティッシュ取り出し時開閉用の開閉自在な蓋部２２ａが設けられている。
【００１０】
本実施形態のカイロは、上述の如く構成されているので、コードが邪魔になることなく手軽にウェットティッシュを適温に加温できる。また、容器全体を加温するのではなく、容器の上面側のみを加温できるので、含浸液が蒸発してしまうことがなく、適量（加温する間に使用する程度の量）のウェットティッシュを適温に加温できる。
【００１１】
取り出し部の形状は、特に制限されず、例えば、図３に示すように取り出し部１０の一辺側に切り欠き部１１を設けたり、図４に示すように一辺に切り欠き部１２を有する２つのカイロ部材１'でカイロ１を構成し、取り出し部１０が両者の切り欠き部１２で形成される形態としても良い。
【００１２】
【発明の効果】
本発明のウェットティッシュ用カイロは、コードが邪魔になったり、含浸液が蒸発してしまうことがなく、手軽に、適量のウェットティッシュを適温に加温できる。
【図面の簡単な説明】
【図１】図１は、本発明のウェットティッシュ用カイロの１形態を示す平面図である。
【図２】図２は、図１に示すウェットティッシュ用カイロの使用態様図である。
【図３】図３は、本発明のウェットティッシュ用カイロの他の実施形態を示す平面図である。
【図４】図４は、本発明のウェットティッシュ用カイロの他の実施形態を示す平面図である。
【符号の説明】
１    ウェットティッシュ用カイロ
１０    取り出し部
２    ウェットティッシュ用容器
２１    容器本体
２２    蓋体
２３    落とし蓋
２４    壁部材
２４ａ  上端縁
２５    上面
３    ウェットティッシュ
【図１】
0003894676.tif 000002
【図２】
0003894676.tif 000003
【図３】
0003894676.tif 000004
【図４】
0003894676.tif 000005